(57)【要約】 【課題】１つの出荷用紙箱に収納できるブリスターパック数を多くすること、および出荷用紙箱自体を小さくして省スペース化することができる新規なコンタクトレンズ出荷容器を提供する。【解決手段】窪み部を有するコンタクトレンズ収納部分３とこのコンタクトレンズ収納部分３から張り出して設けたフランジ部分１とから容器本体を構成し、上記フランジ部分１をコンタクトレンズ収納部分３に対して片側に片寄らせて設け、コンタクトレンズ収納部分３の表面積をフランジ部分１の表面積より大きく構成し、隣れる容器本体の向きを反転して隣接接合できる形状としたことを特徴とする。【選択図】図１
2008253746.tif 000002
【特許請求の範囲】
【請求項１】
窪み部を有するコンタクトレンズ収納部分とこのコンタクトレンズ収納部分から張り出して設けたフランジ部分とから容器本体を構成し、上記フランジ部分をコンタクトレンズ収納部分に対して片側に片寄らせて設け、コンタクトレンズ収納部分の表面積をフランジ部分の表面積より大きく構成し、隣れる容器本体の向きを反転して隣接接合できる形状としたことを特徴とするコンタクトレンズ出荷容器。
【請求項２】
上記フランジ部の上記コンタクトレンズ収納部分の縦中央線側の縁部と、この縁部と同じ側のコンタクトレンズ収納部分の縁部とを同寸法の直線形状とし、両縁部との間に位置占めする縁部を斜め縁部としてある上記請求項１に記載のコンタクトレンズ出荷容器。
【請求項３】
上記コンタクトレンズ収納部分の直線形状縁部と反対側を僅かに膨出する湾曲形状縁部とし、上記フランジ部の直線形状縁部と反対側を僅かに窪んだ湾曲形状縁部としてある上記請求項２に記載のコンタクトレンズ出荷容器。
【請求項４】
上記斜め縁部と、上記膨出する湾曲形状縁部と窪んだ彎曲形状部分の境の境界縁部とのそれぞれに、連結構造を設けてあり、この連結構造が一対の突片からなり、この一対の突片が突片の縦方向に連なっており、その突片間を窪み形状としてある上記請求項３に記載のコンタクトレンズ出荷容器。
【請求項５】
上記一対の突片のそれぞれの平面を同一平面ではない僅かにずらせた平面にしてある上記請求項４に記載のコンタクトレンズ出荷容器。
【請求項６】
上記何れか一方の突片に嵌合突起を設け、何れか他方の突片に嵌合長溝を設けてある上記請求項４または５に記載のコンタクトレンズ出荷容器。
【請求項７】
窪み部を有するコンタクトレンズ収納部分を設け、このコンタクトレンズ収納部分から第１フランジ部分を張り出して設け、この第１フランジ部分をコンタクトレンズ収納部分に対して片側に片寄らせて設け、上記コンタクトレンズ収納部分の上記第１フランジ部分の対角線状位置に第２フランジ部分を張り出して設け、コンタクトレンズ収納部分の表面積を第１、第２のフランジ部分の表面積より大きくして容器本体を構成し、隣れる容器本体の向きを反転して一方の容器本体の第１フランジ部分が他方の容器本体の第２フランジ部分に重合して隣接接合できる形状としたことを特徴とするコンタクトレンズ出荷容器。
【請求項８】
上記第１フランジ部分と第２フランジ部分との間の斜めの縁部と、この斜めの縁部の反対側に位置する縁部とのそれぞれに連結構造を設けてあり、この連結構造が一対の突片からなり、この一対の突片が突片の縦方向に連なっており、その突片間を窪み形状としてある上記請求項７に記載のコンタクトレンズ出荷容器。
【請求項９】
上記一対の突片のそれぞれの平面を同一平面ではない僅かにずらせた平面にしてある上記請求項８に記載のコンタクトレンズ出荷容器。
【請求項１０】
上記何れか一方の突片に嵌合突起を設け、何れか他方の突片に嵌合長溝を設けてある上記請求項８または９に記載のコンタクトレンズ出荷容器。
【請求項１１】
上記請求項１〜１０の何れかのコンタクトレンズ出荷容器の複数個を横方向に隣接接合して配置し、フイルム状蓋部を上記横方向に隣接接合して配置した複数個のコンタクトレンズ出荷容器に接着して連結してなるコンタクトレンズ出荷容器。
【請求項１２】
上記請求項１〜１０の何れかのコンタクトレンズ出荷容器の複数個を横方向に隣接接合して配置し、フイルム状蓋部を上記横方向に隣接接合して配置した複数個のコンタクトレンズ出荷容器に接着して連結してなり、各容器本体の隣接接合部にミシン目線を設けてあるコンタクトレンズ出荷容器。
【請求項１３】
コンタクトレンズ出荷容器の連結構造であって、一対の突片からなり、この一対の突片が突片の縦方向に連なっており、その突片間を窪み形状としてあるコンタクトレンズ出荷容器の連結構造。
【請求項１４】
上記一対の突片のそれぞれの平面を同一平面ではない僅かにずらせた平面にしてある上記請求項１３に記載のコンタクトレンズ出荷容器の連結構造。
【請求項１５】
上記何れか一方の突片に嵌合突起を設け、何れか他方の突片に嵌合長溝を設けてある上記請求項１３または１４に記載のコンタクトレンズ出荷容器の連結構造。
【発明の詳細な説明】
【技術分野】
【０００１】
本発明は、収納性に優れたコンタクトレンズ用出荷容器に関するものである。詳細には、容器形状の省スペース化を図ることで出荷用紙箱への収納性を向上できるコンタクトレンズ用出荷容器及びその連結構造に関するものである。
【背景技術】
【０００２】
含水性コンタクトレンズの出荷形態は、コンタクトレンズをブリスターパックといわれる出荷容器に封入し、このブリスターパックを複数個まとめて出荷用紙箱に収納している。この紙箱に収納されるブリスターパックの個数はコンタクトレンズの処方数量によって異なり、場合によっては１つの紙箱に出来るだけ多くのブリスターパックを収納して出荷する必要がある。
例えば、現在の主流である「一日使い捨てコンタクトレンズ」の場合では出荷用紙箱１箱に３０個のブリスターパックを収納するものが一般的であるが、場合によっては１０個や９０個の収納にて流通するものもある。
この紙箱への収納形態としては、ブリスターパックの容器本体を横に並べ、アルミニウム箔の積層物からなる蓋部によって５個のブリスターパックを横一列に連結させるものが一般的である（特許文献1参照）。この連結されたブリスターパックは、その２つを背中合わせにひとまとめにし、それを３段に重ねた３０個単位が１つの出荷用紙箱に収納されることになる。この場合の出荷用紙箱の大きさは横１５０mm、縦５０mm、高さ３０mm程度のものとなる。
これ以外の紙箱への収納形態としては、レンズ収納部とフランジ部分とを交互に配置して１箱に収納するものもある（特許文献２参照）。
【特許文献１】特開平９−１６９３５７号公報
【特許文献２】特開平９−２３９１７号公報
【発明の開示】
【発明が解決しようとする課題】
【０００３】
特許文献１や特許文献２に記載のブリスターパックでは、容器自体の形状によって紙箱への収納数が限定され、また出荷用紙箱も大きくなってしまう不便さがあったという課題がある。
そこで本発明は、１つの出荷用紙箱に収納できるブリスターパック数を多くすること、および出荷用紙箱自体を小さくして省スペース化することができる新規なコンタクトレンズ出荷容器を提供するものである。
さらに、複数のブリスターパックを横方向に連結するのに、アルミニウム箔の積層物などからなるフイルム状蓋部にて複数個同時にシールし、各ブリスターパックの境界のフイルム状蓋部にミシン目線を設けてあって、蓋が施されたブリスターパック同士を簡便に連結し、連結が解かれた状態でも簡便に再連結できるようにしたコンタクトレンズ用出荷容器の新規な連結構造を提供するものである。
【課題を解決するための手段】
【０００４】
そのため、本発明コンタクトレンズ出荷容器は、窪み部を有するコンタクトレンズ収納部分とこのコンタクトレンズ収納部分から張り出して設けたフランジ部分とから容器本体を構成し、上記フランジ部分をコンタクトレンズ収納部分に対して片側に片寄らせて設け、コンタクトレンズ収納部分の表面積をフランジ部分の表面積より大きく構成し、隣れる容器本体の向きを反転して隣接接合できる形状としたことを特徴とするコンタクトレンズ出荷容器。
【０００５】
また、本発明コンタクトレンズ出荷容器は、上記フランジ部の上記コンタクトレンズ収納部分の縦中央線側の縁部と、この縁部と同じ側のコンタクトレンズ収納部分の縁部とを同寸法の直線形状とし、両縁部との間に位置占めする縁部を斜め縁部としてある。
さらに、本発明コンタクトレンズ出荷容器は、上記コンタクトレンズ収納部分の直線形状縁部と反対側を僅かに膨出する湾曲形状縁部とし、上記フランジ部の直線形状縁部と反対側を僅かに窪んだ湾曲形状縁部としてある。
【０００６】
また、本発明コンタクトレンズ出荷容器は、上記斜め縁部と、上記膨出する湾曲形状縁部と窪んだ彎曲形状部分の境の境界縁部とのそれぞれに、連結構造を設けてあり、この連結構造が一対の突片からなり、この一対の突片が突片の縦方向に連なっており、その突片間を窪み形状としてある。
さらに、本発明コンタクトレンズ出荷容器は、上記一対の突片のそれぞれの平面を同一平面ではない僅かにずらせた平面にしてある。
また、本発明コンタクトレンズ出荷容器は、上記何れか一方の突片に嵌合突起を設け、何れか他方の突片に嵌合長溝を設けてある。
【０００７】
さらに、本発明コンタクトレンズ出荷容器は、窪み部を有するコンタクトレンズ収納部分を設け、このコンタクトレンズ収納部分から第１フランジ部分を張り出して設け、この第１フランジ部分をコンタクトレンズ収納部分に対して片側に片寄らせて設け、上記コンタクトレンズ収納部分の上記第１フランジ部分の対角線状位置に第２フランジ部分を張り出して設け、コンタクトレンズ収納部分の表面積を第１、第２のフランジ部分の表面積より大きくして容器本体を構成し、隣れる容器本体の向きを反転して一方の容器本体の第１フランジ部分が他方の容器本体の第２フランジ部分に重合して隣接接合できる形状としたことを特徴とするものである。
【０００８】
また、本発明コンタクトレンズ出荷容器は、上記第１フランジ部分と第２フランジ部分との間の斜めの縁部と、この斜めの縁部の反対側に位置する縁部とのそれぞれに連結構造を設けてあり、この連結構造が一対の突片からなり、この一対の突片が突片の縦方向に連なっており、その突片間を窪み形状としてある。
さらに、本発明コンタクトレンズ出荷容器は、上記一対の突片のそれぞれの平面を同一平面ではない僅かにずらせた平面にしてある。
また、本発明コンタクトレンズ出荷容器は、上記何れか一方の突片に嵌合突起を設け、何れか他方の突片に嵌合長溝を設けてある。
【０００９】
さらに、本発明コンタクトレンズ出荷容器は、上記請求項１〜１０の何れかのコンタクトレンズ出荷容器の複数個を横方向に隣接接合して配置し、フイルム状蓋部を上記横方向に隣接接合して配置した複数個のコンタクトレンズ出荷容器に接着して連結してなるものである。
また、上記請求項１〜１０の何れかのコンタクトレンズ出荷容器の複数個を横方向に隣接接合して配置し、フイルム状蓋部を上記横方向に隣接接合して配置した複数個のコンタクトレンズ出荷容器に接着して連結してなり、各容器本体の隣接接合部にミシン目線を設けてある。
【００１０】
さらに、本発明コンタクトレンズ出荷容器の連結構造は、一対の突片からなり、この一対の突片が突片の縦方向に連なっており、その突片間を窪み形状としてある。
また、本発明コンタクトレンズ出荷容器の連結構造は、上記一対の突片のそれぞれの平面を同一平面ではない僅かにずらせた平面にしてある。
さらに、本発明コンタクトレンズ出荷容器の連結構造は、上記何れか一方の突片に嵌合突起を設け、何れか他方の突片に嵌合長溝を設けてある。
【発明の効果】
【００１１】
本発明のコンタクトレンズ用出荷容器は、窪み部を有するコンタクトレンズ収納部分とこのコンタクトレンズ収納部分から張り出して設けたフランジ部分とから容器本体を構成し、上記フランジ部分をコンタクトレンズ収納部分に対して片側に片寄らせて設け、コンタクトレンズ収納部分の表面積をフランジ部分の表面積より大きく構成し、隣れる容器本体の向きを反転して隣接接合できる形状としたことを特徴とするから、１つの出荷用紙箱に収納できるブリスターパック数を多く出来る。また、従来品と同等の収納数の場合で比較すれば、出荷用紙箱自体の小型化が可能となるので省スペース化が達成できる。
【００１２】
本発明のコンタクトレンズ用出荷容器は、その容器の反対側の縁のそれぞれに連結構造を設けてあり、この連結構造が一対の突片からなり、この一対の突片が突片の縦方向に連なっており、その突片間を窪み形状としてあるから、隣れる容器本体の向きを反転して、コンタクトレンズ出荷容器を隣接接合する際、連結構造同士によって隣接する出荷容器同士が連結結合する効果があり、一度連結を外しても、再度連結できる効果がある。
【００１３】
本発明のコンタクトレンズ用出荷容器の連結構造は、何れか一方の突片に嵌合突起を設け、何れか他方の突片に嵌合長溝を設けてあるから、隣接する容器を連接結合する際、一方の突片の突起が隣なれる容器の他方の嵌合長溝に嵌合し、連結結合を確実なものとする効果がある。
【発明を実施するための最良の形態】
【００１４】
本発明は、蓋部を開封する際に有用なフランジ部分を効率的に利用すべく工夫を加えたものであり、省スペース化に適応できるブリスターパックの形状を提案する。
以下、本発明に係わるコンタクトレンズ用出荷容器を図によって説明する。
図１は本発明におけるコンタクトレンズ用出荷容器であるブリスターパックの第１の実施形状である。この第１の実施例である本発明コンタクトレンズ用出荷容器は、コンタクトレンズを封入する窪み部に対応するコンタクトレンズ収納部分３と蓋部を開封する際に有用なコンタクトレンズ収納部分３から張り出して設けたフランジ部分１とから構成される。
上記コンタクトレンズ収納部分３は、窪み部とこの窪み部の周囲のフランジ部からなる。このフランジ部の端部は下向きに折曲して支持部１４を構成してある。
【００１５】
上記コンタクトレンズ収納部分３から張り出して設けたフランジ部分１をコンタクトレンズ収納部分３に対して片側に片寄らせて設けてあり、これにより、図示するフランジ部分１の端部横方向の長さ２を、レンズ収納部３のフランジ部分１の端部に相対する端部横方向の長さ４よりも短くするところに特徴がある。この設定により、フランジ部分１の領域となる容器表面部分の面積を、レンズ収納部分３の領域となる容器表面部分の面積に対して小さくできる。
【００１６】
この第１の実施例では、上記フランジ部１の上記コンタクトレンズ収納部分３の縦中央線側の縁部１５と、この縁部１５と同じ側のコンタクトレンズ収納部分３の縁部１６とを同寸法の直線形状とし、両縁部１５，１６との間に位置占めする縁部１７を斜め縁部としてある。
また、この第１の実施例では、上記コンタクトレンズ収納部分３の直線形状縁部１６と反対側を僅かに膨出する湾曲形状縁部６とし、上記フランジ部１の直線形状縁部１５と反対側を僅かに窪んだ湾曲形状縁部５としてある。
【００１７】
図３は図１に示す本発明におけるブリスターパックの有用性を示す図である。
上記で説明する容器の形状によって各容器自体を互い違いに配置でき、６個のブリスターパックを横方向に並べた全体の長さを、従来のものに比べて短くすることができる。フランジ部分１の端部横方向の長さ２の数値は、小さくするほど連結時の横方向の長さを小さくできるが、小さ過ぎると蓋を開封する際に手で持つことが困難となり、その機能が損なわれるので、少なくとも５mm以上、好ましくは５mm〜１５mm程度で設定する。
ブリスターパックを連結する方法としては、図３で示すように配列させてアルミニウム箔の積層物などからなるフイルム状蓋部７にて複数個同時にシールすることで連結することができる。分離する際には蓋部７に予めミシン目８を設けておけば容易に切り離して使用することができる。
【００１８】
本発明によればブリスターパックを同じ向きで５個配置する従来方法に比べて、同寸法で８個以上のブリスターパックを配置することが可能となる。また、３０個収納できる紙箱のスペースの場合では、最大４８個まで収納できるので収納効率を約６０％向上することが可能となる。すなわち、一般的な包装形態である３０個程度の収納の場合では、従来の約２／３のスペースで３２個を収納できることになる。
図４はブリスターパック間の連結における別の形態を示した図である。
本発明におけるブリスターパック本体の側部間での接合が可能なように容器自体に凹凸形状の接合部９、１０を設けて連結するものである。この接合部を設けることでブリスターパック本体に蓋部をシールした後でも互いに連結することが可能となる。これによって箱詰工程の直前に本発明にかかるブリスターパックを任意の数だけ連結して収納することが可能となる。
【００１９】
図５は、後に説明する具体的な連結構造を具備して、図４に示すブリスターパック間の連結をより確実にした実施例を示す。図５では、それぞれのブリスターパックの縁に設けた後に詳述する連結構造１８，１８によって交互に反転して配置したブリスターパックを連結して配置した実施例である。
【００２０】
図６に図１に示したブリスターパックに連結構造１８，１８を設けたものの平面図を示してあり、図７にその底面図を示してある。図中３がコンタクトレンズ収納部分であり、１がコンタクトレンズ収納部分３から張り出したフランジ部分である。このブリスターパックは図１に示したものと同様、直線上の縁部１５，１６とこの縁部１５，１６との間に位置占めする斜めの縁部１７を有する。同じくこれら直線状の縁部の反対側に膨出する湾曲形状縁部６と窪んだ湾曲形状部分５を有する。
【００２１】
図６及び図７に示すように斜めの縁部１６の中心位置と、反対側の縁部の膨出する湾曲状縁部６と窪んだ湾曲状部５との境界位置に、それぞれ連結構造１８，１８を有する。
図８及び図９に２個のブリスターパックを連結状態から分離した状態の平面図と底面図を示してあり、この図面から容易に理解できる通り、２個のブリスターパックを反転した状態で連結する際に隣れるブリスターパックの連結構造１８,１８が連結できる状態にある。
【００２２】
図１０及び図１１にこの連結構造１８，１８の拡大平面図と拡大底面図を示してある。図示する通り、この連結構造は一対の突片１９，２０からなり、この一対の突片１９，２０が基本的には突片の縦方向に連なっておる。この突片１９,２０間を窪み形状２１としてあり、即ち、これら突片１９，２０間に窪み形状２１を形成するため、これら突片１９，２０は半楕円形状に形成してある。これら突片１９，２０はレンズ収納部３側の突片１９とフランジ部分１側の突片２０とからなり何れか一方の突片、図面に示した実施例ではレンズ収納部３側の突片１９の表面に嵌合突起２２を設け、何れか他方の突片、図面に示した実施例ではフランジ部分１側の突片２０の突片２０の裏側に嵌合長溝２３を設けてある。
【００２３】
上記突片１９，２０は上記した通り、基本的にはその縦方向に連なって同一平面状に配置してあるが、同一平面でない僅かに開く方向にずらせて平面にしてある方が、連結構造を連結する際に連結し易くなる上で効果的である・
【００２４】
図１２は本発明におけるブリスターパックの別の実施形態を示す図である。
本実施形態の特徴は、窪み部を有するコンタクトレンズ収納部分１３を設け、このコンタクトレンズ収納部分１３から第１フランジ部分１１を張り出して設け、この第１フランジ部分１１をコンタクトレンズ収納部分１３に対して片側に片寄らせて設け、上記コンタクトレンズ収納部分１３の上記第１フランジ部分１１の対角線状位置に第２フランジ部分１２を張り出して設け、コンタクトレンズ収納部分１３の表面積を第１、第２のフランジ部分１１，１２の表面積より大きくして容器本体を構成し、隣れる容器本体の向きを反転して一方の容器本体の第１フランジ部分１１が他方の容器本体の第２フランジ部分１２に重合して隣接接合できる形状としたことにあり、このフランジ部１２の表面の面積は、コンタクトレンズ収納部１３に相対するフランジ部分１１の表面の面積とほぼ同等になるように設定することが好ましい。
【００２５】
図１３は図１２に示す本発明におけるブリスターパックの有用性を示す図である。図１３では、図１２に示す本発明におけるブリスターパックを同じ向きに配置した後に蓋部にて４個同時にシールして連結させて、同様に用意した４個連結のものを対向する方向で組み合わせた状態を示している。この場合、第２フランジ部分１２と第１フランジ部分１１とが重なり合うことに特徴がある。どちらが上側に重なっていてもかまわないが、図１３に示すように第１フランジ部分１１が下方向に重なることが好ましい。上述のとおり、第２フランジ部１２の面積と第１フランジ部分１１の面積をほぼ同等にしておけば、安定した組み合わせ状態が達成できる。
【００２６】
図１４は、後に説明する具体的な連結構造を具備して、図１３に示すブリスターパック間の連結をより確実にした実施例を示す。図１４では、それぞれのブリスターパックの縁に設けた後に詳述する連結構造２８，２８によって交互に反転して配置したブリスターパックを連結して配置した実施例である。
【００２７】
図１５に図１２に示したブリスターパックに連結構造２８，２８を設けたものの平面図を示してあり、図１６にその底面図を示してある。図中１３がコンタクトレンズ収納部分であり、１１がコンタクトレンズ収納部分１３から張り出したフランジ部分である。
図中１２が上記第１フランジ部分１１の対角線状位置に張り出して設けた第２フランジ部分である。このブリスターパックは、第１フランジ部分１１と第２フランジ部分１２との間に斜めの縁部２７を有し、同じくこの斜めの縁部２７の第１フランジ部分１１側の反対側のわずかに傾斜する縁部２５を有する。
【００２８】
図１５及び図１６に示すように斜めの縁部２７の中心位置と、反対側の縁部２５位置に、それぞれ連結構造２８，２８を有する。
図１７及び図１８に２個のブリスターパックを連結状態から分離した状態の平面図と底面図を示してあり、この図面から容易に理解できる通り、２個のブリスターパックを反転した状態で連結する際に隣れるブリスターパックの連結構造２８,２８が連結できる状態にある。
【００２９】
図１９及び図２０にこの連結構造２８，２８の拡大平面図と拡大底面図を示してある。図示する通り、この連結構造は一対の突片２９，３０からなり、この一対の突片２９，３０が基本的には突片の縦方向に連なっておる。この突片２９,３０間を窪み形状３１としてあり、即ち、これら突片２９，３０間に窪み形状３１を形成するため、これら突片２９，３０は半楕円形状に形成してある。これら突片２９，３０はレンズ収納部１３側の突片２９と第１フランジ部分１１側の突片３０とからなり何れか一方の突片、図面に示した実施例ではレンズ収納部１３側の突片２９の表面に嵌合突起３２を設け、何れか他方の突片、図面に示した実施例では第１フランジ部分１１側の突片３０の裏側に嵌合長溝３３を設けてある。
【００３０】
上記突片２９，３０は上記した通り、基本的にはその縦方向に連なって同一平面状に配置してあるが、同一平面でない僅かに開く方向にずらせて平面にしてある方が、連結構造を連結する際に連結し易くなる上で効果的である・
【００３１】
上記の通りの構造により、連結構造の何れか一方の突片に嵌合突起を設け、何れか他方の突片に嵌合長溝を設けてあるから、嵌合突起が嵌合長溝に嵌合するとき、カチッと確実に嵌合し、より確実な連結が得られる。また、嵌合長溝としたことにより、嵌合突起との間に多少の位置ずれが生じても、これら嵌合を比較的確実にすることができる。
また、本発明では隣れるブリスターパックを一度切り離しても、連結構造により再度の連結が容易に得られる。
さらに、突片、嵌合突起、嵌合長溝による連結であるから、連結時の突片のあおりをおさえることができる利点もある。
又上記請求項または詳細な説明では嵌合長溝と記載してあるが、これは嵌合長孔にすることは容易であり、嵌合長孔も本発明の要旨内に含まれるものである。
【図面の簡単な説明】
【００３２】
【図１】本発明の一実施形態における平面図である。
【図２】図１に示す本発明の一実施形態における側面断面図である。
【図３】図１に示す本発明の一実施形態のものを６個連結した状態の平面図である。
【図４】図１に示す本発明の別形態のものを６個連結した状態の平面図である。
【図５】図１に示す本発明のさらに別形態のものを６個連結した状態の平面図である。
【図６】図１に示す一実施形態に連結構造を設けた形態の平面図である。
【図７】図６に示した形態の底面図である。
【図８】図６に示した実施形態の２個を分離して示す平面図である。
【図９】図６に示した実施形態の２個を分離して示す底面図である。
【図１０】図６に示した実施形態の連結構造を示す拡大平面図である。
【図１１】図６に示した実施形態の連結構造を示す拡大底面図である。
【図１２】本発明の別の実施形態の平面図である。
【図１３】図１２に示す実施形態のものを８個組み合せた状態の平面図である。
【図１４】図１２に示す本発明の別の実施形態のものを８個組み合せた状態の平面図である。
【図１５】図１２に示す本発明の別の実施形態に連結構造を設けた形態の平面図である。
【図１６】図１５に示した実施形態の底面図である。
【図１７】図１５に示した実施形態の２個を分離して示す平面図である。
【図１８】図１５に示した実施形態の２個を分離して示す底面図である。
【図１９】図１５に示した実施形態の連結構造を示す拡大平面図である。
【図２０】図１５に示した実施形態の連結構造を示す拡大底面図である。
【図２１】図２０のＡ−Ａ線部分拡大断面図である。
【符号の説明】
【００３３】
１  フランジ部分
２  フランジ部分の横方向の長さ
３  レンズ収納部
４  レンズ収納部の横方向の長さ
５  窪んだ湾曲状縁部
６  膨出する湾曲状縁部
７  蓋部
８  蓋部のミシン目
９  凹凸状の接合部
１０  凹凸状の接合部
１１  フランジ部分
１２  レンズ収納部に設けたフランジ部
１３  レンズ収納部
１４  支持部
１５，１６，１７,２５  縁部
１８，２８  連結構造
１９，２０，２９，３９  突片
２１，３１  窪み形状
２２，３２  嵌合突起
２３，３３  嵌合長溝
【図１】
2008253746.tif 000003
【図２】
2008253746.tif 000004
【図３】
2008253746.tif 000005
【図４】
2008253746.tif 000006
【図５】
2008253746.tif 000007
【図６】
2008253746.tif 000008
【図７】
2008253746.tif 000009
【図８】
2008253746.tif 000010
【図９】
2008253746.tif 000011
【図１０】
2008253746.tif 000012
【図１１】
2008253746.tif 000013
【図１２】
2008253746.tif 000014
【図１３】
2008253746.tif 000015
【図１４】
2008253746.tif 000016
【図１５】
2008253746.tif 000017
【図１６】
2008253746.tif 000018
【図１７】
2008253746.tif 000019
【図１８】
2008253746.tif 000020
【図１９】
2008253746.tif 000021
【図２０】
2008253746.tif 000022
【図２１】
2008253746.tif 000023